(57)【要約】  特定の時刻にバッテリーのバッテリーチャージ値を判断することと、前記特定の時刻におけるバッテリーチャージ値を前記特定の時刻に関連するバッテリー使用プロファイルのしきいバッテリーチャージ値と比較することとを含む特定の方法であって、前記しきいバッテリーチャージ値は時間と共に変化する（例えば、動的しきい値（dynamic threshold））。前記バッテリーチャージ値が前記しきいバッテリーチャージ値を満たさないとき、前記方法は、ユーザにパワーセーブモードを選択するように促すことを含む。例えば、前記パワーセーブモードは、第１の向き（１１８）から第２の向き（１２０）への前記携帯用電子機器の動きを検出する携帯用電子機器の運動センサー（１０５）に応答してディスプレイ装置（１０４）の複数のバックライトエレメントの異なるバックライトエレメント（１０６−１１６）を活性化することを含み得る。
2014508434.tif 000002
【特許請求の範囲】
【請求項１】
携帯用電子機器が第１の向きを有するとき、前記携帯用電子機器の複数のバックライトエレメントの第１のバックライトエレメントを活性化することと、なお、前記複数のバックライトエレメントのそれぞれのバックライトエレメントは、前記携帯用電子機器のディスプレイ装置の特定の部分と関連し、前記第１のバックライトエレメントは前記ディスプレイ装置の第１の部分と関連する；
前記第１の向きから第２の向きへの前記携帯用電子機器の動きを検出する前記携帯用電子機器の運動センサーに応答して、前記複数のバックライトエレメントの第２のバックライトエレメントを活性化することと、なお、前記第２のバックライトエレメントは、前記ディスプレイ装置の第２の部分に関連する；
を備える方法。
【請求項２】
前記第２のバックライトエレメントの活性化に応答して前記第１のバックライトエレメントを非活性化することをさらに備える、請求項１に記載の方法。
【請求項３】
前記第２の向きから第３の向きへの前記携帯用電子機器の動きを検出する前記運動センサーに応答して、前記複数のバックライトエレメントの第３のバックライトエレメントを活性化することをさらに備え、前記第３のバックライトエレメントは前記ディスプレイ装置の第３の部分に関連する、請求項２に記載の方法。
【請求項４】
前記第３のバックライトエレメントの活性化に応答して、前記第２のバックライトエレメントを非活性化することをさらに備える、請求項３に記載の方法。
【請求項５】
前記動きが、前記携帯用電子機器のピッチ（pitch）の変化を含む、請求項１に記載の方法。
【請求項６】
前記動きが、前記携帯用電子機器のロール（roll）およびヨー（yaw）のうちの１つの変化を含む、請求項１に記載の方法。
【請求項７】
前記運動センサーが加速度計を含む、請求項１に記載の方法。
【請求項８】
前記運動センサーが、ジャイロスコープおよびコンパスのうち１つを含む、請求項１に記載の方法。
【請求項９】
前記携帯用電子機器が前記第１の向きを有するとき、前記第１のバックライトエレメント以外の前記携帯用電子機器の前記複数のバックライトエレメントのそれぞれが、非活性化される、請求項１に記載の方法。
【請求項１０】
前記携帯用電子機器が前記第２の向きを有するとき、前記第２のバックライトエレメント以外の前記携帯用電子機器の前記複数のバックライトエレメントのそれぞれが、非活性化される、請求項１に記載の方法。
【請求項１１】
携帯用電子機器であって、
ディスプレイ装置と；
複数のバックライトエレメントと、なお、前記複数のバックライトエレメントのそれぞれのバックライトエレメントは、前記ディスプレイ装置の特定の部分と関連する；
運動センサーと；
前記携帯用電子機器が第１の向きを有するとき、前記複数のバックライトエレメントの第１のバックライトエレメントを活性化するように、なお、前記第１のバックライトエレメントは、前記ディスプレイ装置の第１の部分と関連する；および
前記第１の向きから第２の向きへの前記携帯用電子機器の動きを検出する前記運動センサーに応答して、前記複数のバックライトエレメントの第２のバックライトエレメントを活性化するように、なお、前記第２のバックライトエレメントは、前記ディスプレイ装置の第２の部分に関連する；
構成される、ロジックと；
を含む、携帯用電子機器。
【請求項１２】
前記ロジックが、前記第１の向きから第３の向きへの前記携帯用電子機器の動きを検出する前記運動センサーに応答して、前記複数のバックライトエレメントの第３のバックライトエレメントを活性化するようにさらに構成され、前記第３のバックライトエレメントは前記ディスプレイ装置の第３の部分に関連する、請求項１１に記載の携帯用電子機器。
【請求項１３】
前記運動センサーが、加速度計を含み、ここにおいて、前記第２のバックライトエレメントは、第１の方向のピッチの変化を検出する前記加速度計に応答して活性化され、前記第３のバックライトエレメントは、第２の方向のピッチの変化を検出する前記加速度計に応答して活性化される、請求項１２に記載の携帯用電子機器。
【請求項１４】
前記ロジックが、震動運動を検出する前記運動センサーに応答して、前記複数のバックライトエレメントの全てを活性化するようにさらに構成される、請求項１１に記載の携帯用電子機器。
【請求項１５】
前記携帯用電子機器が前記第１の向きを有するとき、前記第１のバックライトエレメント以外の前記複数のバックライトエレメントのそれぞれが、非活性化され、前記携帯用電子機器が前記第２の向きを有するとき、前記第２のバックライトエレメント以外の前記複数のバックライトエレメントのそれぞれが非活性化される、請求項１１に記載の携帯用電子機器。
【請求項１６】
携帯用電子機器の動きを検出するための手段と；
前記携帯用電子機器が第１の向きを有するとき、ディスプレイ装置の複数のバックライトエレメントの第１のバックライトエレメントを活性化するための手段と、なお、前記複数のバックライトエレメントのそれぞれのバックライトエレメントは、前記ディスプレイ装置の特定の部分と関連し、前記第１のバックライトエレメントは前記ディスプレイ装置の第１の部分と関連する；
前記第１の向きから第２の向きへの前記携帯用電子機器の動きの検出に応答して、前記複数のバックライトエレメントの第２のバックライトエレメントを活性化するための手段と、なお、前記第２のバックライトエレメントは、前記ディスプレイ装置の第２の部分に関連する；
を備える、装置。
【請求項１７】
第３の向きへの前記携帯用電子機器の動きの検出に応答して、前記複数のバックライトエレメントの第３のバックライトエレメントを活性化するための手段をさらに備え、前記第３のバックライトエレメントは前記ディスプレイ装置の第３の部分に関連する、請求項１６に記載の装置。
【請求項１８】
前記第２のバックライトエレメントが活性化されるとき、前記第１のバックライトエレメントを非活性化するための手段をさらに備える、請求項１６に記載の装置。
【請求項１９】
命令を備える非一時的なコンピュータ可読媒体であって、前記命令は、プロセッサによって実行されるとき、前記プロセッサに、
携帯用電子機器が第１の向きを有するとき、前記携帯用電子機器の複数のバックライトエレメントの第１のバックライトエレメントを活性化することと、なお、前記複数のバックライトエレメントのそれぞれのバックライトエレメントは、前記携帯用電子機器のディスプレイ装置の特定の部分と関連し、前記第１のバックライトエレメントは前記ディスプレイ装置の第１の部分と関連する；
前記第１の向きから第２の向きへ移動する前記携帯用電子機器に応答して、前記複数のバックライトエレメントの第２のバックライトエレメントを活性化することと、なお前記第２のバックライトエレメントは、前記ディスプレイ装置の第２の部分に関連する；
をさせる、コンピュータ可読記録記体。
【請求項２０】
前記プロセッサによって実行されるとき、前記プロセッサに、第３の向きへ移動する前記携帯用電子機器に応答して前記複数のバックライトエレメントの第３のバックライトエレメントを活性化させる、命令をさらに備え、前記第３のバックライトエレメントは前記ディスプレイ装置の第３の部分に関連する、請求項１９に記載の非一時的なコンピュータ可読媒体。
【請求項２１】
前記プロセッサによって実行されるとき、前記プロセッサに、前記第２のバックライトエレメントが活性化するとき、前記第１のバックライトエレメントを非活性化させる命令をさらに備える、請求項１９に記載の非一時的なコンピュータ可読媒体。
【請求項２２】
特定の時刻に、携帯用電子機器のバッテリーのバッテリーチャージ値を判断することと；
前記特定の時刻に判断された前記バッテリーチャージ値を前記特定の時刻に関連するバッテリー使用プロファイルのしきいバッテリーチャージ値と比較することと、なお、前記しきいバッテリーチャージ値は時間と共に変化する；
前記バッテリーチャージ値が前記しきいバッテリーチャージ値を満たさないとき、ユーザにパワーセーブモードを選択するように促すことと；
を備える、方法。
【請求項２３】
前記ユーザにパワーセービングモードを選択するように促すことが、複数の選択可能なパワーセーブモードから前記パワーセーブモードを選択するオプションを含むディスプレイを起動することを含む、請求項２２に記載の方法。
【請求項２４】
前記複数の選択可能なパワーセーブモードの１つが、前記携帯用電子機器の向きに基づいて前記携帯用電子機器の複数のバックライトの１つ以上のバックライトエレメントを活性化するウィンドウ処理ディスプレイモードを含む、請求項２３に記載の方法。
【請求項２５】
前記複数の選択可能なパワーセーブモードのうち１つが、前記携帯用電子機器のタッチスクリーンディスプレイの照明を無効にするタッチスクリーンジェスチャーモードを含み、前記タッチスクリーンディスプレイが無効にされるとき、前記タッチスクリーンディスプレイは、受信されたタッチスクリーン入力に応答して、照明されない、請求項２３の方法。
【請求項２６】
前記タッチスクリーンディスプレイが無効にされるとき、前記タッチスクリーンディスプレイを照明することなく前記受信されたタッチスクリーン入力に応答して、アクションが実行される、請求項２５に記載の方法。
【請求項２７】
前記ユーザにパワーセーブモードを選択することを促すことが、前記バッテリーチャージ値が前記しきいバッテリーチャージ値を満たさないことを示す情報のディスプレイを起動することを含む、請求項２２に記載の方法。
【請求項２８】
電力消費を低減するための１つ以上の提案を表示することをさらに備える、請求項２７に記載の方法。
【請求項２９】
前記電力消費を削減するための１つ以上の提案が、第１の電力消費レベルを用いて第１のアプリケーションを非活性化し、削減された電力消費レベルを用いて代替アプリケーションを活性化するための提案を含む、請求項２８に記載の方法。
【請求項３０】
前記携帯用電子機器のユーザが非アクティブであること示している状態で、前記携帯用電子機器が動作されていることを判断することに応答して、前記携帯用電子機器においてデータを取得し、および前記データを格納するアプリケーションを実行することをさらに含む、請求項２２に記載の方法。
【請求項３１】
前記状態が、周辺の光状態、動きの欠如、以前の位置に存在すること、および時刻、の１つ以上を含む、請求項３０に記載の方法。
【請求項３２】
特定の時刻に、携帯用電子機器のバッテリーのバッテリーチャージ値を判断するための手段と；
前記特定の時刻に判断された前記バッテリーチャージ値を前記特定の時刻に関連するバッテリー使用プロファイルのしきいバッテリーチャージ値と比較するための手段と、なお、前記しきいバッテリーチャージ値は時間と共に変化する；
前記バッテリーチャージ値が前記しきいバッテリーチャージ値を満たさないとき、ユーザにパワーセーブモードを選択するよう促すための手段と、
を備える、装置。
【請求項３３】
前記携帯用電子機器のタッチスクリーンディスプレイの照明を無効にするための手段と、なお、前記照明されたタッチスクリーンが無効にされるとき、前記タッチスクリーンディスプレイは、受信されたタッチスクリーン入力に応答して照明されない、
前記照明されたタッチスクリーンディスプレイが無効にされるとき、前記タッチスクリーンディスプレイを照明することなく前記受信されたタッチスクリーン入力に応答して、アクションを実行するための手段と、
をさらに含む、請求項３２に記載の装置。
【請求項３４】
命令を備える非一時的なコンピュータ可読媒体であって、前記命令は、プロセッサによって実行されるとき、前記プロセッサに、
特定の時刻に、バッテリーのバッテリーチャージ値を判断することと；
前記特定の時刻に判断された前記バッテリーチャージ値を、前記特定の時刻に関連するバッテリー使用プロファイルのしきいバッテリーチャージ値と比較することと、なお、前記しきいバッテリーチャージ値は時間と共に変化する；
前記バッテリーチャージ値が前記しきいバッテリーチャージ値を満たさないとき、ユーザにパワーセーブモードを選択するよう促すことと、
をさせる、非一時的なコンピュータ可読媒体。
【請求項３５】
前記命令は、前記プロセッサによって実行されるとき、前記プロセッサに、
タッチスクリーンディスプレイの照明を無効にすることと、なお、前記タッチスクリーンディスプレイは、前記タッチスクリーンディスプレイの前記照明が無効にされるとき、受信されたタッチスクリーン入力に応答して照明されない；
前記タッチスクリーンディスプレイの前記照明が無効にされているとき、前記タッチスクリーンディスプレイを照明することなく前記受信されたタッチスクリーン入力に応答して、アクションを実行することと；
をさせることをさらに備える、請求項３４に記載の非一時的なコンピュータ可読媒体。
【請求項３６】
前記命令は、前記プロセッサによって実行されるとき、前記プロセッサに、
無線信号強度を決定することと；
前記決定された無線信号強度に少なくとも部分的に基づいて１つ以上のコンテンツアイテムを選択的にダウンロードすることと、なお、前記１つ以上のコンテンツアイテムは、前記決定された信号強度が無線信号強度しきい値を満たすときにダウンロードされ、前記決定された無線信号強度が前記無線信号強度しきい値を満たさないときダウンロードされない；
をさせることさらに備える、請求項３４に記載の非一時的なコンピュータ可読媒体。
【発明の詳細な説明】
【技術分野】
【０００１】
[0001]  本出願は、広く携帯用電子機器のバッテリー寿命延長に関する。
【関連技術】
【０００２】
[0002]  技術の進歩は、より小型で、より強力なコンピューティングデバイスをもたらした。例えば、小型で、軽く、かつユーザによって容易に持ち運ばれるページング装置、携帯情報端末（ＰＤＡｓ）、および携帯用無線電話のような無線コンピューティングデバイスを含む様々な携帯用パーソナルコンピューティングデバイスが現在存在している。より具体的には、セルラ電話およびインターネットプロトコル（IP）電話のようなポータブル無線電話は、無線ネットワーク上で音声およびデータパケットを通信することができる。さらに、多くのこのような無線電話は、その中に組み込まれるその他のタイプのデバイスを含む。例えば、無線電話は、デジタルスチルカメラ、デジタルビデオカメラ、デジタルレコーダ、およびオーディオファイルプレーヤも含むことができる。また、このような無線電話は、インターネットにアクセスするために使用されることができるウェブブラウザアプリケーションなどのソフトウェアアプリケーションを含む実行可能な命令を処理することができる。したがって、これらの無線電話は、著しい計算能力を備えることができる。
【０００３】
[0003]  今日の移動ユーザは、携帯用電子機器を使用することができる時間の総量を延長することから恩恵を得ることができる。省電力技術を用いるかどうかを決定（determine）するための固定されたバッテリーチャージレベルのしきい値は、バッテリー寿命の延長に関する制限された能力を提供し得る。さらに、いくつかの省電力技術はユーザにとって不便であるかもしれない。
【発明の概要】
【０００４】
[0004]  本出願は、１つ以上のセンサーからの入力に応答して、携帯用電子機器のバッテリー寿命を延長する省電力技術の使用を説明するものである。バッテリー使用プロファイルは、このような省電力技術が、携帯用電子機器が再充電されることができる前に、携帯用電子機器のバッテリーを消耗させることの見込みを減らすことができるかどうか判断（determine）するために使用され得る。さらに、特定の省電力技術は、バッテリー寿命を延長しているにもかかわらず、ユーザエクスペリエンスを改善することができる携帯用電子機器のある機能を携帯用電子機器のユーザに提供することができる。
【０００５】
[0005]  特定の実施形態において、携帯用電子機器が第１の向き（orientation）を有するとき携帯用電子機器の複数のバックライトエレメントのうちの第１のバックライトエレメントを活性化することを含む。例えば、複数のバックライトエレメントは、液晶ディスプレイ（ＬＣＤ）に関連する複数の発光ダイオード（ＬＥＤｓ）を含み得る。複数のバックライトエレメントのそれぞれのバックライトエレメントは、携帯用電子機器のディスプレイ装置の特定の部分と関連し、第１のバックライトエレメントはディスプレイ装置の第１の部分と関連する。例として、携帯用電子機器が第１の向きを有するとき、第１のＬＥＤは完全に活性化されることができ（例えば、バックライトの能力（capability）１００％で動作する）、一方残りのＬＥＤは、完全に非活性化され得る（例えば、バックライトの能力０％で動作する）。代替的に、いくつかのあるいはすべてのＬＥＤは、第１の向きで部分的に非活性化され得る（例えば、バックライトの能力１０％で動作する）。この方法は、第１の向きから第２の向きへの携帯用電子機器の動き（movement）を検出する携帯用電子機器の運動センサー（motion sensor）に応答して複数のバックライトエレメントの第２のバックライトエレメントを活性化することをさらに含む。第２のバックライトエレメントは、ディスプレイ装置の第２の部分に関連する。
【０００６】
[0006]  別の特定の実施形態において、ある装置（例えば携帯用電子機器）は、ディスプレイ装置および複数のバックライトエレメントを含む。複数のバックライトエレメントのうちのそれぞれのバックライトエレメントは、ディスプレイ装置の特定の部分と関連する。携帯用電子機器はまた、携帯用電子機器が第１の向きを有すとき、複数のバックライトエレメントのうちの第１のバックライトエレメントを活性化するように構成される運動センサーおよびロジックも含む。第１のバックライトエレメントはディスプレイ装置の第１の部分に関連する。ロジックは、第１の向きから第２の向きへの携帯用電子機器の動きを検出する運動センサーに応答して複数のバックライトエレメントのうちの第２のバックライトエレメントを活性化するようにさらに構成される。第２のバックライトエレメントはディスプレイ装置の第２の部分に関連する。
【０００７】
[0007]別の特定の実施形態において、ある装置は携帯用電子機器の動きを検出する手段を含む。この装置は、携帯用電子機器が第１の向きを有するとき、ディスプレイ装置の複数のバックライトエレメントの第１のバックライトエレメントを活性化するための手段をさらに含む。複数のバックライトエレメントのそれぞれのバックライトエレメントは、ディスプレイ装置の特定の部分と関連し、第１のバックライトエレメントはディスプレイ装置の第１の部分と関連する。この装置は、第１の向きから第２の向きへの携帯用電子機器の動きの検出に応答して、ディスプレイ装置の複数のバックライトエレメントの第２のバックライトエレメントを活性化するための手段をさらに含む。第２のバックライトエレメントは、ディスプレイ装置の第２の部分に関連する。
【０００８】
[0008]  別の特定の実施形態において、方法は、特定の時刻における携帯用電子機器のバッテリーのバッテリーチャージ値を判断すること、および、特定の時刻において判断されたバッテリーチャージ値を特定の時刻に関連するバッテリー使用プロファイルのしきいバッテリーチャージ値（threshold battery charge value）と比較することを含み、しきいバッテリーチャージ値は時間と共に変化する（例えば、動的しきい値（dynamic threshold））。この方法は、バッテリーチャージ値がしきいバッテリーチャージ値を満たさないとき、ユーザにパワーセーブモードを選択するよう促すことを含む。
【０００９】
[0009]  別の特定の実施形態において、ある装置は、特定の時刻において携帯用電子機器のバッテリーのバッテリーチャージ値を判断するための手段と、特定の時刻において判断されたバッテリーチャージ値を、特定の時刻に関連するバッテリー使用プロファイルのしきいバッテリーチャージ値と比較する手段を含み、しきいバッテリーチャージ値は時間と共に変化する。この装置は、バッテリーチャージ値がしきいバッテリーチャージ値を満たさないとき、ユーザに省電力モードを選択するよう促すための手段をさらに含む。
【００１０】
[0010]  開示された実施形態の少なくとも１つによってもたらされる１つの特定の利点は、バッテリー使用履歴情報が、携帯用電子機器のバッテリー寿命を延長するために１つ以上の省電力技術を用いるかどうか判断するために使用され得ることである。さらに、本開示の１つ以上の省電力技術は、携帯用電子機器のバッテリー寿命を延長する一方、改善されたユーザエクスペリエンスを提供し得る。
【００１１】
[0011]  本開示の他の態様、利点、および特徴が、下記のセクション：図面の簡単な説明、発明を実施するための形態、および特許請求の範囲、を含む本願全体のレビュー後に明らかになるであろう。
【図面の簡単な説明】
【００１２】
【図１】[0012]  図１は、バッテリー寿命を延長するシステムの第１の特定の例示的な実施形態のブロック図である。
【図２】[0013]  図２は、バッテリー寿命を延長するシステムの第２の特定の例示的な実施形態のブロック図である。
【図３】[0014]  図３は、バッテリー寿命を延長するシステムの第３の特定の例示的な実施形態のブロック図である。
【図４】[0015]  図４は、バッテリー寿命を延長するシステムに関連する電力プロファイルの特定の例示的な実施形態の図である。
【図５】[0016]  図５は、バッテリー寿命を延長するシステムに関連するユーザインターフェースの第１の例示的な実施形態の図である。
【図６】[0017]  図６は、バッテリー寿命を延長するシステムに関連するユーザインターフェースの第２の例示的な実施形態の図である。
【図７】[0018]  図７は、バッテリー寿命を延長する方法の第１の例示的な実施形態の流れ図である。
【図８】[0019]  図８は、バッテリー寿命を延長する方法の第２の例示的な実施形態の流れ図である。
【図９】[0020]  図９は、バッテリー使用プロファイルに基づいてバッテリー寿命を延長する方法の特定の例示的な実施形態の流れ図である。
【図１０】[0021]  図１０は、携帯用電子機器のバッテリー寿命を延長するためのロジックを含む携帯用電子機器のブロック図である。
【発明を実施するための形態】
【００１３】
[0022]  本開示は、バッテリー寿命を延長するための携帯用電子機器のセンサーの使用を説明する。取得された使用習慣（すなわち、使用履歴データ）は、ユーザがバッテリーを再充電できる前に、携帯用電子機器のバッテリーを使い切られることを避けるための改善された能力を提供し得る。例えば、携帯用電子機器の典型的な使用のプロファイル（例えば電力プロファイル）は、較正段階（calibration stage）の間に作られ得る。動作段階（operation stage）の間に、較正段階の間に作られた電力プロファイルは、ユーザに省電力モードを選択することを促すかどうか判断するために使用され得る。さらに、本開示は、バッテリー寿命を延長する一方、携帯用電子機器の１つ以上の機能をユーザに提供し得る複数の省電力技術を説明する。
【００１４】
[0023]  図１に関して、携帯用電子機器のバッテリー寿命を延長するシステムの特定の例示的な実施形態が開示され、全般に１００で示される。図１のシステム１００は、１つ以上の機能が、１つ以上の省電力技術によって携帯用電子機器１０２のユーザに利用可能であり得る。例えば、図１において、ディスプレイ装置１０４の特定の部分（例えば、１つ以上の水平バックライトエレメント）は、ディスプレイ装置１０４の他の部分が電力を節約するために不活性であるが、ユーザに視認され（visible）得る。
【００１５】
[0024]  図１の携帯用電子機器は、ディスプレイ装置１０４に関連する複数のバックライトエレメントを含む。ディスプレイ装置１０４は、複数のＬＥＤバックライトエレメントを備えた液晶ディスプレイ装置（ＬＣＤ）であり得る。図１に例示された実施形態において、複数のバックライトエレメントは、第１のバックライトエレメント１０６、第２のバックライトエレメント１０８、第３のバックライトエレメント１１０、第４のバックライトエレメント１１２、第５のバックライトエレメント１１４および第６のバックライトエレメント１１６を含む。代替的に、ディスプレイ装置１０４は、別の数のバックライトエレメント（すなわち少なくとも２つのバックライトエレメント）を含み得る。それぞれのバックライトエレメントは、ディスプレイ装置１０４の特定の部分に関連する。図１に例示された実施形態において、複数のバックライトエレメント１０６−１１６は、水平に並べられ得る。代替的に、複数のバックライトエレメント１０６−１１６は、（図２に例示されるように）垂直に並べられ得る。
【００１６】
[0025]  携帯用電子機器１０２が第１の向き１１８を有するとき、第１のバックライトエレメント１０６は活性化され得る。用語「活性化された（activated）」は、ここでバックライトの能力（例えば「オン」の状態）の完全な使用、あるいはバックライトの能力の部分的な使用を指し得る。さらに、用語「非活性化された」は、ここでバックライトの能力（例えば「オフ」の状態）の完全な不使用を、あるいはバックライトの能力の部分的な使用を指し得る。本開示において、「活性化された」バックライトエレメントは、「非活性化された」バックライトエレメントよりも多くのバックライトを提供し得る。ある例示的な実施形態において、携帯用電子機器１０２が第１の向き１１８を有するとき、他のバックライトエレメント（例えば、バックライトエレメント１０８−１１６）が「オフ」であり得る一方、第１のバックライトエレメント１０６は、「オン」であり得る。別の例示的な実施形態において、第１のバックライトエレメント１０６は、完全にまたは部分的に活性化されることができ（例えば、バックライトの能力の９０％から１００％を利用する）、他のバックライトエレメント１０８−１１６のうち１つ以上が、完全にまたは部分的に非活性化されることができる（バックライトの能力の０％から１０％を利用する）。さらに、それぞれの「非活性化された（deactivated）」バックライトエレメント１０８−１１６の利用は、変わり得る。例示的な例として、第１の向き１１８において、第４および第５のバックライトエレメント１１２、１１４は、バックライトの能力の２０％を利用することができ、第３のバックライトエレメント１１０および第６のバックライトエレメント１１６は、バックライトの能力の１０％を利用することができ、および第２のバックライト１０８は、バックライトの能力の０％を利用することができる。
【００１７】
[0026]  携帯用電子機器１０２はまた、運動センサー１０５も含み得る。運動センサー１０５は、携帯用電子機器１０２の動きを検出する機能を実行する。例えば運動センサー１０５は、加速度計またはジャイロスコープであり得る。運動センサー１０５が、第１の向き１１８から第２の向き１２０への携帯用電子機器１０２の動きを検出するとき、第２のバックライトエレメント１０８は活性化され得る。第２のバックライトエレメント１０８はディスプレイ装置１０４の第２の部分に関連する。図１に例示された実施形態において、Ｘ軸１１２、Ｙ軸１２４およびＺ軸１２５が示され、この動きは、携帯用電子機器１０２のピッチの第１の変化（すなわち、第１の方向におけるＸ軸１２２についての回転）を示す。代替的に、この動きは、携帯用電子機器１０２の、ピッチ（ｐｉｔｃｈ）（すなわち、Ｘ軸１２２についての回転）、ロール（ｒｏｌｌ）（すなわち、Ｚ軸１２５についての動き）、およびヨー（ｙａｗ）（すなわち、Ｙ軸１２４についての動き）の任意の組み合わせを示し得る。
【００１８】
[0027]  動作中、複数のバックライトエレメント１０６−１１６のうちの第１のバックライトエレメント１０６は、携帯用電子機器１０２が第１の向き１１８を有するとき、活性化される。例示された実施形態において、アイコンの第１のセット１２６は、第１のバックライトエレメント１０６が活性化された結果として、視認することができる。つまり、第１のバックライトエレメント１０６が、アイコンの第１のセット１２６を含むディスプレイ装置１０４の特定の部分を照明する。運動センサー１０５は、第１の向き１１８から第２の向き１２０への携帯用電子機器１０２の動き（例えば、ピッチの変化）を検出し得る。動きを検出することに応答して、第２のバックライトエレメント１０８は活性化され得る。例示された実施形態において、アイコンの第２のセット１２８は、第２のバックライトエレメント１０８が活性化された結果として、視認することができる。つまり、第２のバックライトエレメント１０８が、アイコンの第２のセット１２８を含むディスプレイ装置１０４の特定の部分を照明する。
【００１９】
[0028]  図１に例示された実施形態において、バックライトエレメント１０８−１１６は、携帯用電子機器１０２が第１の向き１１８を有するとき、非活性化される。さらに、バックライトエレメント１０６および１１０−１１６は、携帯用電子機器１０２が第２の向き１２０を有するとき、非活性化される。代替的な実施形態において、１より多いバックライトエレメントは、第１の向き１１８または第２の向き１２０のいずれかにおいて活性化され得る。例えば、第１のバックライトエレメント１０６および第４のバックライトエレメント１１２は、携帯用電子機器１０２が第１の向き１１８を有するとき、活性化され得る。別の例において、第２のバックライトエレメント１０８および第６のバックライトエレメント１１６は、携帯用電子機器が第２の向き１２０を有するとき、活性化され得る。１つ実施形態では、運動センサー１０５は、携帯用電子機器１０２の震動を検出し得る。この場合、バックライトエレメント１０６−１１６のすべては、ユーザにディスプレイ装置１０４のそれぞれの部分を見えるようにするために一時的に活性化され得る。
【００２０】
[0029]  さらに、図１に例示された実施形態において、第１のバックライトエレメント１０６は、第２のバックライトエレメント１０８の活性化に応答して、非活性化される。その上、別のバックライトエレメントは、第３の向き（図示はされていない）への携帯用電子機器１０２の動きを検出する運動センサー１０５に応答して、活性化され得る。例えば、運動センサー１０５は、第２の向き１２０から第３の向きへの携帯用電子機器１０２の動きを検出し得る。例示するために、運動センサー１０５は、携帯用電子機器１０２のピッチの第２の変化を示す動き（例えば、第１の向き１１８から第２の向き１２０への回転から反対の方向のＸ軸１２２についての回転）を検出し得る。例示的な例として、（ディスプレイ装置１０４の別の部分に関連する）第６のバックライトエレメン１１６は、動きの結果として活性化され得る。ある実施形態において、第２のバックライトエレメント１０８は、第６のバックライトエレメント１１６の活性化に応答して非活性化され得る。
【００２１】
[0030]  図１は、ユーザに、ディスプレイ装置１０４の特定の部分において表示されたコンテンツを見ることを可能にすると同時に、携帯用電子機器１０２のバッテリー寿命を延長し得るウィンドウ処理ディスプレイモード（windowing display mode）（すなわち、特定の水平バックライトエレメントの選択的な照明）を例示する。そのようなものとして、電力は、携帯用電子機器１０２の機能性の少なくとも１つのサブセットをユーザが提供されると同時に、節約され得る。
【００２２】
[0031]  図２に関して、携帯用電子機器のバッテリー寿命を延長するシステムの特定の例示的な実施形態が開示され、全般に２００で示される。図２のシステム２００は、１つ以上の機能が、１つ以上の省電力技術によって携帯用電子機器２０２のユーザに利用可能であり得る。例えば、図２において、ディスプレイ装置２０４の特定の部分（例えば垂直バックライトエレメント）は、電力を節約するためにディスプレイ装置２０４の他の部分が非活性化されている間ユーザに視認され得る。
【００２３】
[0032]  図２の携帯用電子機器２０２は、ディスプレイ装置２０４に関連する複数のバックライトエレメントを含む。例えば、図２に例示された実施形態において、複数のバックライトエレメントは、第１のバックライトエレメント２０６、第２のバックライトエレメント２０８、第３のバックライトエレメント２１０、第４のバックライトエレメント２１２、第５のバックライトエレメント２１４、および第６のバックライトエレメント２１６を含む。代替的に、ディスプレイ装置２０４は、別の数のバックライトエレメント（すなわち、少なくとも２つのバックライトエレメント）を含み得る。それぞれのバックライトエレメントは、ディスプレイ装置２０４の特定の部分に関連する。図２に例示された実施形態において、複数のバックライトエレメント２０６-２１６は、垂直に並べられ得る。
【００２４】
[0033]  携帯用電子機器２０２が、第１の向き２１８を有するとき、第１のバックライトエレメント２０６は活性化され得る。携帯用電子機器２０２はまた、運動センサー２０５も含む。運動センサー２０５は、携帯用電子機器２０２の動きを検出する機能を実行する。例えば、運動センサー２０５は、加速度計、コンパスまたはジャイロスコープであり得る。運動センサー２０５が、第１の向き２１８から第２の向き２２０への携帯用電子機器２０２の動きを検出するとき、第２のバックライトエレメント２０８は活性化され得る。図２に例示されるように、第２のバックライトエレメント２０８は、ディスプレイ装置２０４の第２の部分に関連する。図２に例示された実施形態において、Ｘ軸２２２、Ｙ軸２２３およびＺ軸２２４が示され、この動きは、携帯用電子機器１０２のロールの第１の変化（例えば、時計回り方向のＺ軸２２４についての回転）を示す。代替的に、この動きは、携帯用電子機器２０２の、ピッチ（すなわち、Ｘ軸２２２についての回転）、ロール（すなわち、Ｚ軸２２４についての動き）、およびヨー（すなわち、Ｙ軸２２３についての動き）の任意の組み合わせを示す。
【００２５】
[0034]  動作中、複数のバックライトエレメント２０６-２１６の第１のバックライトエレメント２０６は、携帯用電子機器２０２が第１の向き２１８を有するとき、活性化される。例示された実施形態において、アイコンの第１のセット２２６は、第１のバックライトエレメント２０６が活性化された結果として、視認される。つまり、第１のバックライトエレメント２０６が、アイコンの第１のセット２２６を含むディスプレイ装置２０４の特定の部分を照明する。運動センサー２０５は、第１の向き２１８から第２の向き２２０への携帯用電子機器２０２の動き（例えば、ロールの変化）を検出し得る。動きを検出することに応答して、第２のバックライトエレメント２０８は活性化され得る。例示された実施形態において、アイコンの第２のセット２２８は、第２のバックライトエレメント２０８が活性化された結果として、視認される。つまり、第２のバックライトエレメント１０８は、アイコンの第２のセット２２８を含むディスプレイ装置２０４の特定の部分を照明する。
【００２６】
[0035]  従って、図２は、ユーザに、ディスプレイ装置２０４の特定の部分における表示されたコンテンツを見ることを可能にする間、携帯用電子機器２０２のバッテリー寿命を延長し得るウィンドウ処理ディスプレイモード（すなわち、特定の垂直バックライトエレメントの選択的な照明）を例示する。そのようなものとして、電力は、携帯用電子機器２０２の機能性の少なくとも１つのサブセットをユーザが提供される間、節約され得る。
【００２７】
[0036]  図３に関して、携帯用電子機器のバッテリー寿命を延長するシステムの特定の例示的な実施形態が開示され、全般に３００で示される。図３のシステム３００は、１つ以上の機能が、１つ以上の省電力技術を介して携帯用電子機器３０２のユーザに利用可能であり得る。例えば、図３において、携帯用電子機器３０２のタッチスクリーンディスプレイ３０４の照明は、タッチスクリーン入力を受信する能力を維持する間、無効であり得る（すなわち、バックライトエレメントは非活性化される）。
【００２８】
[0037]  図３の携帯用電子機器３０２は、タッチスクリーンディスプレイ３０４によってコンテンツを表示し、ユーザからタッチスクリーン入力を受信するように構成される。さらに、携帯用電子機器３０２は、タッチスクリーンジェスチャーモードなどのような、省電力モードを活性化するように構成される。ユーザからの入力を受信するのに先立って、タッチスクリーンディスプレイ３０４に関連する１つ以上のバックライトエレメントが非活性化され得る。タッチスクリーンジェスチャーモードは、タッチスクリーンディスプレイ３０４が無効であるとき、受信されたタッチスクリーン入力に応答して、タッチスクリーンディスプレイ３０４を照明しないことによってバッテリー寿命を延長することができる。さらに、タッチスクリーンディスプレイ３０４は、１つ以上のアクションを引き起こす特定のタッチスクリーン入力を受け取る間、非活性化されたままであり得る（すなわち、照明されない）。
【００２９】
[0038]  図３に例証された実施形態において、タッチスクリーン入力の特定のシーケンスが特定のアクションと関連する。例えば、第１のタッチスクリーン入力３０６は、ある文字（例えば文字「Ｃ」）に大まかに対応する運動（motion）に関連し得る。同様に、第２のタッチスクリーン入力３０８は、第２の文字（例えば文字「Ｐ」）に大まかに対応する運動に関連し得る。タッチスクリーンディスプレイ３０４の照明は、タッチスクリーン入力３０６、３０８を受け取っている間、無効なままであり得る。携帯用電子機器３０２は、受け取られたタッチスクリーン入力３０６、３０８に応答して、アクションを引き起こすように構成され得る。例えば、シーケンス「ＣＰ」は、携帯用電子機器３０２によって「ピーター（Peter）」への電話呼び出し（call）を開始するように、事前に設定され得る。代替的に、他のタッチスクリーン入力は、他のアクションに関連して、事前に設定され得る。
【００３０】
[0039]  ある実施形態において、アクションは、タッチスクリーンディスプレイ３０４が無効であるとき、タッチスクリーンディスプレイ３０４を照明することなく受け取られたタッチスクリーン入力に応答して、引き起こされる（例えば、「ピーター」への電話呼び出しが開始される）。代替的に、図３に例示された実施形態において、タッチスクリーン入力３０６、３０８の特定のシーケンスは、タッチスクリーンディスプレイ３０４の照明をトリガーし得る。例えば、図３において、通知３１０は、電話呼び出しを開始するアクションが引き起こされたことを示す表示をされ得る。さらに、電話呼び出しされた電話相手（例えば、「ピーター」）に関連する画像３１２が、タッチスクリーンディスプレイ３０４によって表示され得る。代替的に、タッチスクリーンディスプレイ３０４のある部分が、照明され得る。例示すると、通知３１０に関連するタッチスクリーンディスプレイ３０４の部分を照明する１つ以上のバックライトエレメントが、活性化され得る。
【００３１】
[0040]  従って、図３は、タッチスクリーンジェスチャーモード（例えば、タッチスクリーンディスプレイ３０４によってユーザに入力を提供することを可能にすると同時に、タッチスクリーンディスプレイ３０４のバックライティングの非活性化）が、１つ以上の事前に設定されたタッチスクリーン入力によってアクションを引き起こすことをユーザに可能にする間、携帯用電子機器３０２のバッテリー寿命を延長し得ることを例示する。そのようなものとして、電力は、携帯用電子機器３０２の機能性の少なくとも１つのサブセットをユーザが提供される間、節約され得る。
【００３２】
[0041]  図４に関して、携帯用電子機器のバッテリー寿命を延長するために使用される電力プロファイルの特定の例示的な実施形態が開示され、全般に４００で示される。ユーザは、特定の期間のバッテリーチャージ値が使用履歴プロファイルに基づいて時間と共に変化する特定のバッテリーチャージしきい値（battery charge threshold value）を満たさないとき、省電力モード選択することを促され得る。
【００３３】
[0042]  電力プロファイル４００は、特定の期間に渡る携帯用電子機器（例えば、図１−３の携帯用電子機器１０２、２０２、および３０２）の典型的な使用を表す第１のデータ４０２を含む。例えば、図４における特定の期間は、典型的な平日（例えば、月曜日）に対応し得る。代替的に、期間は、任意の他の日（例えば、別の平日または休日）あるいは使用履歴データが利用可能な任意のほかの期間であり得る。電力プロファイル４００はまた、しきいバッテリーチャージ値（threshold battery charge value）を表す第２のデータ４０４、特定の時刻における（例えば、月曜日の特定の時刻における）実際のバッテリーチャージ値を表す第３のデータ４０６も含み得る。第３のデータ４０６が、特定の時刻における実際のバッテリーチャージ値が（例えば、４０８に例示されるように）しきいバッテリーチャージ値を満たさないとき、ユーザは省電力モードを選択するように促され得る。バッテリーチャージ値が、携帯用電子機器（例えば、図１−３の携帯用電子機器１０２、２０２および３０２）に電力を供給するために利用可能なバッテリーチャージの残りの総量を表し得る。
【００３４】
[0043]  較正段階(calibration stage)は、典型的な使用を表す第１のデータ４０２を決定するために使用され得る。較正段階の間、ユーザは、普段するように、携帯用電子機器（例えば、図１−３の携帯用電子機器１０２、２０２および３０２）を使用し続け得る。電力節約アプリケーションは、バックグラウンドで動作（run in）し、電力プロファイル４００を決定するのに役立つ情報を記録（log）することができる。例えば、電力節約アプリケーションは、携帯用電子機器が充電器からはずされたとき（例えば、午前７時に）、一日全体を通して特定の時刻において（例えば、Ｎ秒間隔で）残っているバッテリーの総量、およびユーザが普段携帯用電子機器を充電する時刻（例えば、午後７時）をログ記録する。さらに、電力節約アプリケーションは、携帯用電子機器のそれぞれのアプリケーションの電力使用についての情報を取り込み得る。例えば、電力節約アプリケーションは、携帯用電子機器の様々なリソースを使用するアプリケーションに関係する情報を含む電力プロファイルを作り出すことを試み得る。例示するために、電力節約アプリケーションは、数ある他の代替物の中でも、（モデムおよびほかのシステムリソースを使用する）オンラインポーカーアプリケーション、コンタクトマネジャーアプリケーション、またはソーシャルネットワーキングアプリケーションのための電力プロファイル情報を作り出し得る。電力節約アプリケーションは、携帯用電子機器の他のリソースを使用する他のアプリケーションに関係する情報を収集し得る。例えば、電力節約アプリケーションは、数ある他の代替案の中で、カメラ、グラフィックの多いゲーム、電話、ライブまたはストリーミングメディアコンテンツ、デジタル音楽プレイヤーによって携帯用電子機器のリソースの使用に関係する情報を含み得る。
【００３５】
[0044]  例として、電力使用情報の収集は、ユーザが較正段階を終了するまでかまたは電力節約アプリケーションによって記録されたデータが同一の傾向（例えば、ユーザは、携帯用電子機器を主に昼食の間、車で家に帰る間、などに使用すること）を示すまで、毎日繰り返し得る。１つの実施形態において、較正段階は、使用が日によって変わり得るように、週のそれぞれの日にちに関する電力プロファイルを作るために使用され得る。
【００３６】
[0045]  動作中（例えば、動作段階（operation stage）の間）、較正段階の間に取得されたデータ（例えば、典型的な月曜日に関連する電力プロファイル４００）は、特定の時刻におけるユーザの行動が、バッテリーが次の充電まで携帯用電子機器の電力を供給でき得るようであるかどうか判断するために使用され得る。しきい値データ４０４は実際のデータ４０６（例えば、特定の時刻における実際の電力消費レベル）および典型的なデータ４０２（例えば、特定の時刻における典型的な電力消費レベル）の間の許容可能な差異を表す。しきい値データ４０４は、１日の特定の時刻について記録された最も低いバッテリー電力と同等であり得る。例えば、今が月曜日の午後２時で、この日のこの時刻における残りのバッテリーチャージ値がたいていは６０％であったとすると、装置は残りのバッテリーチャージ値が３０％であること、予期される充電の前にバッテリーが０％まで使い切られ得ると報告する。図４は、４０８において、残りのバッテリーチャージ値がしきい値を満たさないことを例示する。
【００３７】
[0046]  別の実施形態において、アプリケーションは、携帯用電子機器が非アクティブであり得ることを示す状況のとき、携帯用電子機器が動作していることを判断することに応答して、実行され得る。例えば、電力プロファイル４００は、携帯用電子機器が午後９時より後は非アクティブであることを示し得る。別の例として、この状況は、周辺の光状態、動きの欠如、携帯用電子機器が特定の位置にあること、時刻、１つ以上の統計の方法、またはそれらの組み合わせを含み得る。例示すると、ある「朝刊新聞」アプリケーションは、電力プロファイル４００が、バッテリーの消耗を避けるために携帯用電子機器が充電器に接続されていて非アクティブであることを示すとき、一般にアクセスされたアイテム（例えば、Ｅメール、ＲＳＳフィード（feed）、ウェブページ）に関連するデータを取得し、携帯用電子機器においてそのデータを格納する（例えば、「プレフェッチされた」データをキャッシュに入れる）ために使用され得る。
【００３８】
[0047]  したがって、図４は、電力プロファイル４００が、ユーザに電力節電モード（図５を参照）を選択することを促すかどうか判断するために、特定の時刻に関連するしきいバッテリーチャージ値に特定の時刻における携帯用電子機器のバッテリーチャージ値を比べるとき使用され得ることを例示する。
【００３９】
[0048]  図５に言及すると、特定の時刻におけるバッテリーチャージ値を判断することに応答して表示されるユーザインターフェースの特定の実施形態がしきいバッテリーチャージ値を満たさないことが、例示され、および全般に５００で示される。例えば、図４の電力プロファイルは、図５のユーザインターフェースを表示するかどうか決定するために使用され得る。図５に例示された実施形態は、ユーザが複数の選択可能な電力節約モード（例えば、図１および図２のウィンドウ処理ディスプレイモードおよび図３のタッチスクリーンジェスチャーモード）を含むディスプレイによって、電力節約モードを選択するように促され得る。代替的に、携帯用電子機器は、ユーザ入力なしに電力節約モードを自動的に入力し得る。
【００４０】
[0049]  ユーザインターフェース５００は、ユーザが携帯用電子機器の電力節約モードを活性化することの推奨を含み得る。図５に例示された実施形態において、ユーザインターフェース５００は、ユーザに、第１の選択可能な入力５０２によって電力節約モードを入力することの推奨を拒否することを可能にし得る。第１の選択可能な入力５０２の選択によって、ユーザがその推奨を拒否することに応答して、電力節電モードは、活性化されない。ユーザインターフェース５００は、第２の選択可能な入力５０４によって、穏やかな(moderate)電力節約モードを入力することの推奨をユーザが受け入れることを可能にし得る。第２の選択可能な入力５０４の選択によって、ユーザが推奨を受け入れることに応答して、携帯用電子機器は、穏やかな電力節約モードを入力し得る。ユーザインターフェース５００は、第３の選択可能な入力５０６によって、積極的な(aggressive)電力節約モードを入力することの推奨をユーザが受け入れることを可能にし得る。第３の選択可能な入力５０６によって、ユーザが推奨を受け入れることに応答して、携帯用電子機器は、積極的な電力節約モードを入力し得る。ある実施形態において、図１および図２のウィンドウ処理ディスプレイモードまたは図３のタッチスクリーンジェスチャー方法は、穏やかな電力節約モード、積極的な電力節約モード、または穏やかな電力節約モードと積極的な電力節約モードの両方に関連し得る。
【００４１】
[0050]  例示するために、ユーザインターフェース５００は、電力履歴プロファイル（例えば、図４の電力プロファイル４００）に比較された低バッテリーチャージレベルのユーザに通知するメッセージ５０８を表示し得る。ユーザインターフェース５００は、次の予期された充電時刻の前にバッテリーが使い切られうることを示し得る。代替的に、または追加的に、低バッテリーチャージレベルのユーザに通告するために警報が使用され得る。
【００４２】
[0051]  特定の例示的な実施形態において、携帯用電子機器は移動体通信機器（例えば、移動電話）を含み、ユーザが電力節約モードを入力することを選んだとき、１つ以上の電力節約オペレーションが、無線信号強度に少なくとも部分的に基づいて決定され得る。例えば、無線信号強度が高いとき、（例えば、４「バー（bars)」のとき、比較的少ない総量の電力が、コンテンツ（例えば、ウェブページ）をダウンロードするために消耗し得、コンテンツは正常にダウンロードされ得る。別の例として、無線信号強度が中位(moderate)（例えば、３「バー」）のとき、映像および広告がダウンロードされ得ないのに対して、テキストと写真は正常にダウンロードされ得る。さらなる例として、無線信号強度が低い（例えば、２「バー」以下）のとき、写真、映像および広告がダウンロードされ得ないのに対して、テキストは正常にダウンロードされ得る。結果的に、モデムの利用に関連する電力消費は、減少し得る。ある実施形態において、（例えば、コンテンツが現れる位置に渡って「Ｘ」によって）ダウンロードされていないコンテンツがユーザに示され得、ユーザに（例えば、「Ｘ」を選ぶことによって）コンテンツを選択的にダウンロードすることを可能にする。従って、１つ以上のコンテンツアイテムは、無線信号強度に基づいて、選択的にダウンロードされ得る。無線信号高度が、無線信号強度しきい値（例えば、「バー」のしきい値数）を満たすとき、１つ以上のコンテンツアイテムが、ダウンロードされ得る。無線信号強度が無線信号強度しきい値を満たさないとき、１つ以上のコンテンツアイテムがダウンロードされ得ない。
【００４３】
[0052]  図６に関して、特定のアプリケーションの電力消費をユーザに知らせるために表示され得るユーザインターフェースの特定の実施形態が、例示され全般に６００で示される。図６のユーザインターフェース６００が、（例えば、ユーザが図５の選択的な入力５０４、５０６の１つを選択することに応答して）穏やかな(moderate)または積極的な(aggressive)電力節約モードが活性化されたとき、特定のアプリケーションについて表示され得る。
【００４４】
[0053]  図６に例示された実施形態において、ユーザインターフェース６００は、特定のアプリケーション（例えば、オンラインポーカーアプリケーション）を利用する間表示され得る。較正段階の間に取得された情報に基づいて、特定のアプリケーションに関連した電力消費が、バッテリー寿命を延長するために電力消費を削減し得る代替アプリケーションを提案するために、およびユーザに電力消費割合を知らせるために使用され得る。従って、図６は電力消費を削減するための提案は、削減された電力消費レベルを用いて代替アプリケーションを活性化するための、および第１の電力消費レベルを用いて第１のアプリケーションを非活性化するための提案を含み得る。
【００４５】
[0054]  図７に関して、バッテリー寿命を延長する方法の第１の例示的な実施形態が開示され、全般に７００で示される。図７は、携帯用電子機器の異なるバックライトエレメントが、携帯用電子機器のバッテリー寿命を延長する間、携帯用電子機器の機能性の少なくともあるサブセットをユーザに提供するために携帯用電子機器の方向または位置に基づいて、活性化され得る。
【００４６】
[0055]  方法７００は、携帯用電子機器が７０２において第１の向きを有するとき、携帯用電子機器の複数のバックライトエレメントの第１のバックライトエレメントを活性化することを含む。例えば、図１の第１のバックライトエレメント１０６は、携帯用電子機器１０２が第１の向き１１８を有するとき、活性化され得る。別の例として、図２の第１のバックライトエレメント２０６は、携帯用電子機器２０２が第１の向き２１８を有するとき、活性化され得る。複数のバックライトエレメントのそれぞれのバックライトエレメントは、携帯用電子機器のディスプレイ装置の特定の部分と関連し、第１のバックライトエレメントはディスプレイ装置の第１の部分と関連する。例えば、図１のバックライトエレメント１０６−１１６のそれぞれは、ディスプレイ装置１０４の特定の部分に関連し、図２のバックライトエレメント２０６−２１６のそれぞれは、表示装置２０４の特定の部分に関連する。
【００４７】
[0056]  方法７００は、７０４における、第１の向きから第２の向きへの、携帯用電子機器の動きを検出する携帯用電子機器の運動センサーに応答して、複数のバックライトエレメントの第２のバックライトエレメントを活性化することをさらに含む。第２のバックライトエレメントは、ディスプレイ装置の第２の部分に関連する。例えば、図１の第２のバックライトエレメント１０８は、第１の向き１１８から第２の向き１２０への動きを検出する携帯用電子機器１０２の運動センサー１０５に応答して、活性化され得る。別の例として、図２の第２のバックライトエレメント２０８は、第１の向き２１８から第２の向き２２０への動きを検出する携帯用電子機器２０２の運動センサー２０５に応答して、活性化され得る。
【００４８】
[0057]  図８に関して、バッテリー寿命を延長する方法の第２の例示的な実施形態が開示され、全般に８００で示される。図８は、携帯用電子機器の異なるバックライトエレメントが、電力節約モードの間、携帯用電子機器の機能性の少なくともあるサブセットをユーザに提供するために携帯用電子機器の方向または位置に基づいて、活性化され得る。さらに、動きの結果として１つのバックライトエレメントの活性化が別のバックライトエレメントの非活性化をもたらし得る。
【００４９】
[0058]  方法８００は、携帯用電子機器が８０２において第１の向きを有するとき、携帯用電子機器の複数のバックライトエレメントの第１のバックライトエレメントを活性化することを含み得る。例えば、図１の第１のバックライトエレメント１０６は、携帯用電子機器１０２が第１の向き１１８を有するとき、活性化され得る。別の例として、図２の第１のバックライトエレメント２０６は、携帯用電子機器２０２が第１の向き２１８を有するとき、活性化され得る。複数のバックライトエレメントのそれぞれのバックライトエレメントは、携帯用電子機器のディスプレイ装置の特定の部分と関連し、第１のバックライトエレメントは、ディスプレイ装置の第１の部分と関連する。例えば、図１のバックライトエレメント１０６−１１６のそれぞれは、ディスプレイ装置１０４の特定の部分に関連し、図２のバックライトエレメント２０６−２１６のそれぞれは、表示装置２０４の特定の部分に関連する。
【００５０】
[0059]  第２の向きへの動きが８０４において検出されたとき、方法８００は８０６に移る。この場合、方法８００は、８０６において、複数のバックライトエレメントの第２のバックライトエレメントを活性化することを含む。第２のバックライトエレメントは、ディスプレイ装置の第２の部分に関連する。図８に例示された実施形態において、方法８００は、８０８において第２のバックライトエレメントの活性化に応答して第１のバックライトエレメントを非活性化することを含む。例えば、図１の第２のバックライトエレメント１０８は、第１の向き１１８から第２の向き１２０への動きを検出する携帯用電子機器１０２の運動センサー１０５に応答して、活性化され得、および第１のバックライトエレメント１０６は非活性化され得る。別の例として、図２の第２のバックライトエレメント２０８は、第１の向き２１８から第２の向き２２０への動きを検出する携帯用電子機器２０２の運動センサー２０５に応答して、活性化され得、第１のバックライトエレメント２０６が非活性化され得る。
【００５１】
[0060]  第３の向きへの動きが８０４において検出されたとき、方法８００は８１０に進む。この場合、方法８００は、８１０において、複数のバックライトエレメントの第３のバックライトエレメントを活性化することを含む。第３のバックライトエレメントは、ディスプレイ装置の第３の部分に関連する。図８に例示された実施形態において、方法８００は、８１２において第３のバックライトエレメントの活性化に応答して第１のバックライトエレメントを非活性化することを含む。例示的な例として、図１の第４のバックライトエレメント１１２は、第１の向き１１８から第３の向き（図示されていない）への動きを検出する携帯用電子機器１０２の運動センサー１０５に応答して、活性化され得、第１のバックライトエレメント１０６が非活性化され得る。図１に例示された実施形態において、動きは、第１の向き１１８に関して、ピッチのネガティブな変化（すなわち、後屈（backward tilt））を表し得る。別の例として、図２の第５のバックライトエレメント２１４は、第１の向き２１８から第３の向き（図示されていない）への動きを検出する携帯用電子機器２０２の運動センサー２０５に応答して、活性化され得る。図２に例示された実施形態において、動きは、第１の向き１１８（例えば、Ｚ軸２２４に対して反時計回り）に関して、ロールの異なる変化を表し得る。
【００５２】
[0061]  図９に関して、バッテリー寿命を延長する方法の特定の例示的な実施形態が開示され、全般に９００で示される。図９は、バッテリー使用プロファイルが、ユーザに電力節約モードを選択するように促すかどうか決定するために使用され得る。
【００５３】
[0062]  方法９００は、９０２において、特定の時刻において携帯用電子機器のバッテリーのバッテリーチャージ値を決定することを含む。方法９００は、９０４において、特定の時刻に関連するバッテリー使用プロファイルのしきいバッテリーチャージ値とバッテリーチャージ値とを比較することを含む。例えば、バッテリー使用プロファイルは、図４の電力プロファイル４００であり得、しきいバッテリーチャージ値は、特定の時刻におけるしきいバッテリーチャージ値を表す第２のデータ４０４に基づいて判断され得る。
【００５４】
[0063]  方法９００は、バッテリーチャージ値が９０６においてしきいバッテリーチャージ値を満たすかどうか決定することを含む。バッテリーチャージ値がしきい値を満たしているとき、方法９００は９０４に戻る。バッテリーチャージ値がしきい値を満たさないとき、方法９００は、ユーザにパワーセーブモードを選択するように促すこと９０８に続く。例えば、電力節約モードは、図１および図２のウィンドウ処理ディスプレイモードあるいは図３のタッチスクリーンジェスチャーモードを含み得る。
【００５５】
[0064]  方法９００は、９１０において、電力節約モードの選択を受け入れることを含み得る。９１０における電力節約モードの選択に応答して、方法９００は、９１２において図１のウィンドウ処理ディスプレイモードまたは図２のウィンドウ処理ディスプレイモードを活性化することを含み得る。代替的に、または追加的に、９１０における電力制限モードの選択に応答して、方法９００は、９１４において図３のタッチスクリーンジェスチャーモードを活性化することを含み得る。代替的な実施形態において、他の電力制限モードは、９１０において受信された選択に応答して活性化され得る。
【００５６】
[0065]  図１０に関して、バッテリー寿命を延長するための命令を含む携帯用電子機器の特定の例示的な実施形態のブロック図が描かれ、全般に１０００で示される。ある実施形態において、図１０の携帯用電子機器１０００は、図１の携帯用電子機器１０２、図２の携帯用電子機器２０２、または図３の携帯用電子機器３０２を含む、またはその中に含まれる。さらに、図７−９に説明された方法の全てまたは一部は、図１０の携帯用電子機器１０００において実行され得る。携帯用電子機器１０００は、メモリ１０３２に結合され、デジタル信号プロセッサ（ＤＳＰ）１０１０のようなプロセッサを含む。メモリ１０３２は、しきいバッテリーチャージ値１０６０（例えば、図４の電力プロファイル４００のような電力プロファイルに含まれるデータ）、比較命令１０６２、バックライトエレメント１０６４、および較正命令１０６６を含み得る。
【００５７】
[0066]  メモリ１０３２は、しきいバッテリーチャージ値１０６０および命令１０６２−１０６４を格納する非一時的なタンジブルコンピュータ可読記憶媒体である。命令１０６２−１０６６は、ＤＳＰ１０１０によって実行可能である。例えば、比較命令１０６２は、特定の時刻において、携帯用電子機器１０００のバッテリーチャージ値を判断する命令、特定の時刻に関連するバッテリー使用プロファイルのしきいバッテリーチャージ値１０６０にバッテリーチャージ値を比較する命令、バッテリーチャージ値がしきいバッテリーチャージ値１０６０を満たさないとき、ユーザに電力節約モードを選択するよう促す命令を含み得る。較正命令１０６６は、（図４に関して説明さるような）較正段階の間に取得された電力使用データに基づいて、しきいバッテリーチャージ値１０６０を作り出すために使用され得る。
【００５８】
[0067]  バックライトエレメント１０６４は、携帯用電子機器１０００が第１の向きを有するとき、携帯用電子機器１０００の複数のバックライトエレメント１０５２−１０５６の第１のバックライトエレメント(backlight element)（「ＢＥ」）１０５２を活性化する命令を含み得る。図１０に、３つのバックライトエレメント１０５２−１０５６が例示される一方、携帯用電子機器１０００はバックライトエレメントの任意の数（例えば、図１および図２の６つのバックライトエレメント）を含み得る。複数のバックライトエレメント１０５２−１０５６のそれぞれのバックライトエレメントは、ディスプレイ装置１０２８の特定の部分と関連する。例えば、第１のバックライトエレメント１０５２は、ディスプレイ装置１０２８の第１の部分に関連し得る。バックライト命令１０６４は、第１の向きから第２の向きへの動きを検出する運動センサー１０５０に応答して、複数のバックライトエレメント１０５２−１０５６の第２のバックライトエレメント１０５４を活性化する命令をさらに含み得る。第２のバックライトエレメント１０５４は、ディスプレイ装置１０２８の第２の部分に関連する。例えば、図１０の第１のバックライトエレメント１０５２は、図１の第１のバックライトエレメント１０６、または図２の第１のバックライトエレメント２０６に対応し得る。別の例として、図１０の第２のバックライトエレメント１０５４は、図１の第２のバックライトエレメント１０８、または図２の第２のバックライトエレメント２０８に対応し得る。
【００５９】
[0068]  図１０はまた、デジタル信号プロセッサ１０１０とディスプレイ装置１０２８とに結合されるディスプレイコントローラ１０２６も示す。ディスプレイコントローラ１０２６は、携帯用電子機器１０００が第１の向きを有するとき、第１のバックライトエレメント１０５２を活性化する機能、および第１の向きから第２の向きへの（すなわち、運動センサー１０５０による）動きの検出に応答して第２のバックライトエレメント１０５４を活性化する機能を実行する。例えば、バックライトエレメント１０６４は、運動センサー１０５０によって検出された動きに応答して活性化するために、特定のバックライトエレメント（例えば、第２のバックライトエレメント１０５４、第３のバックライトエレメント１０５６、またはその両方）を決定するために使用され得る。別の例として、バックライトエレメント１０６４は、他のバックライトエレメントが活性化されるとき、第１のバックライトエレメント１０５２を非活性化するかどうか決定するために使用され得る。
【００６０】
[0069]  符号／復号器（ＣＯＤＥＣ）１０３４もまた、デジタル信号プロセッサ１０１０に結合され得る。スピーカー１０３６およびマイクロフォン１０３８が、コーデック１０３４に結合され得る。図１０はまた、無線コントローラ１０４０が、デジタル信号プロセッサ１０１０と、無線アンテナ１０４２とに結合されることができることを示す。特定の実施形態において、ＤＳＰ１０１０、ディスプレイコントローラ１０２６、メモリ１０３２、ＣＯＤＥＣ１０３４、および無線コントローラ１０４０が、イン・パッケージのシステムの、またはオン・チップシステムの、デバイス１０２２に含まれる。特定の実施形態では、入力デバイス１０３０および電力供給１０４４（例えば、バッテリ）が、オン・チップシステムのデバイス１０２２に結合される。さらに、特定の実施形態では、図１０に示されているように、ディスプレイ・デバイス１０２８、入力デバイス１０３０、スピーカー１０３６、マイクロフォン１０３８、無線アンテナ１０４２、電力供給１０４４、および運動センサー１０５０は、オン・チップシステムのデバイス１０２２の外部にある。しかしながら、ディスプレイ装置１０２８、入力装置１０３０、スピーカー１０３６、マイクロフォン１０３８、無線アンテナ１０４２、電力供給１０４４、および運動センサー１０５０の各々は、オン・チップシステムの装置１０２２の、たとえばインターフェースまたはコントローラといったコンポーネントに結合されることができる。
【００６１】
[0070]  当業者は、ここに開示された実施形態に関連して説明されるさまざまな例示的なロジカルブロック、構成、モジュール、回路、およびアルゴリズムステップが、電子ハードウェア、コンピュータソフトウェア、あるいは両方の組み合わせとしてインプリメントされ得ることをさらに理解するであろう。さまざまな例示的なコンポーネント、ブロック、構成、モジュール、回路、およびステップは、概してそれらの機能の観点から上記に説明された。このような機能が、ハードウェアとしてインプリメントされるか、あるいはソフトウェアとしてインプリメントされるかは、特定のアプリケーションおよびシステム全体に課せられる設計制約に依存する。当業者は、それぞれの特定のアプリケーションに関して、多様な方法で説明された機能をインプリメントすることができるが、このようなインプリメンテーションの決定は、本開示の範囲からの逸脱を引き起こしていると解釈されるべきでない。
【００６２】
[0071]  ここに開示された実施形態に関連して説明されたアルゴリズムまたは方法のステップは、直接ハードウェアにおいて、プロセッサによって実行されるソフトウェアモジュールにおいて、またはこれら２つの組み合わせにおいて、具現化（embodied）され得る。ソフトウェアモジュールは、ランダムアクセスメモリ（ＲＡＭ）、フラッシュメモリ、読み出し専用メモリ（ＲＯＭ）、プログラム可能な読み出し専用メモリ（ＰＲＯＭ）、消去可能ＰＲＯＭ（ＥＰＲＯＭ）、電気的消去可能ＰＲＯＭ（ＥＥＰＲＯＭ）、レジスタ、ハードディスク、リムーバブルディスク、コンパクトディスク読み出し専用メモリ（ＣＤ−ＲＯＭ）、あるいは当技術において周知であるその他任意の形状の記憶媒体に存在しうる。プロセッサが記憶媒体から情報を読み取ったり、記憶媒体に情報を書き込んだりできるように、典型的な記憶媒体はプロセッサに結合されている。代替において、記憶媒体は、プロセッサに統合されうる。プロセッサおよび記憶媒体は、特定用途向け集積回路（ＡＳＩＣ）内に存在し得る。ＡＳＩＣは、コンピューティングデバイスまたはユーザ端末内に存在しうる。あるいは、プロセッサと記憶媒体は、コンピューティングデバイスまたはユーザ端末においてディスクリートコンポーネントとして存在しうる。
【００６３】
[0072]  開示された実施形態の先の説明は、開示された実施形態を製造または使用することを当業者に可能にするために提供される。これらの実施形態への様々な修正は、当業者にとって容易に明らかであり、ここに定義された原理は、本開示の範囲から逸脱することなく他の実施形態に応用されうる。したがって、本開示は、ここに示された実施形態に限定されるようには意図されず、下記の特許請求の範囲によって定義されるような原理および新規な特徴と一致する
可能である最も広い範囲を与えられることとなる。
【図１】
2014508434.tif 000003
【図２】
2014508434.tif 000004
【図３】
2014508434.tif 000005
【図４】
2014508434.tif 000006
【図５】
2014508434.tif 000007
【図６】
2014508434.tif 000008
【図７】
2014508434.tif 000009
【図８】
2014508434.tif 000010
【図９】
2014508434.tif 000011
【図１０】
2014508434.tif 000012
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
携帯用電子機器が第１の向きを有するとき、前記携帯用電子機器の複数のバックライトエレメントの第１のバックライトエレメントを活性化することと、なお、前記複数のバックライトエレメントのそれぞれのバックライトエレメントは、前記携帯用電子機器のディスプレイ装置の特定の部分と関連し、前記第１のバックライトエレメントは前記ディスプレイ装置の第１の部分と関連する；
前記第１の向きから第２の向きへの前記携帯用電子機器の動きを検出する前記携帯用電子機器の運動センサーに応答して、前記複数のバックライトエレメントの第２のバックライトエレメントを活性化することと、なお、前記第２のバックライトエレメントは、前記ディスプレイ装置の第２の部分に関連する；
前記第２のバックライトエレメントの活性化に応答して前記第１のバックライトエレメントを非活性化することと；
を備える方法。
【請求項２】
前記第２の向きから第３の向きへの前記携帯用電子機器の動きを検出する前記運動センサーに応答して、前記複数のバックライトエレメントの第３のバックライトエレメントを活性化することをさらに備え、前記第３のバックライトエレメントは前記ディスプレイ装置の第３の部分に関連する、請求項１に記載の方法。
【請求項３】
前記第３のバックライトエレメントの活性化に応答して、前記第２のバックライトエレメントを非活性化することをさらに備える、請求項２に記載の方法。
【請求項４】
前記動きが、前記携帯用電子機器のピッチ（pitch）の変化を含む、請求項１に記載の方法。
【請求項５】
前記動きが、前記携帯用電子機器のロール（roll）およびヨー（yaw）のうちの１つの変化を含む、請求項１に記載の方法。
【請求項６】
前記運動センサーが加速度計を含む、請求項１に記載の方法。
【請求項７】
前記運動センサーが、ジャイロスコープおよびコンパスのうち１つを含む、請求項１に記載の方法。
【請求項８】
前記携帯用電子機器が前記第１の向きを有するとき、前記第１のバックライトエレメント以外の前記携帯用電子機器の前記複数のバックライトエレメントのそれぞれが、非活性化される、請求項１に記載の方法。
【請求項９】
前記携帯用電子機器が前記第２の向きを有するとき、前記第２のバックライトエレメント以外の前記携帯用電子機器の前記複数のバックライトエレメントのそれぞれが、非活性化される、請求項１に記載の方法。
【請求項１０】
携帯用電子機器であって、
ディスプレイ装置と；
複数のバックライトエレメントと、なお、前記複数のバックライトエレメントのそれぞれのバックライトエレメントは、前記ディスプレイ装置の特定の部分と関連する；
運動センサーと；
前記携帯用電子機器が第１の向きを有するとき、前記複数のバックライトエレメントの第１のバックライトエレメントを活性化するようにと、なお、前記第１のバックライトエレメントは、前記ディスプレイ装置の第１の部分と関連する；
前記第１の向きから第２の向きへの前記携帯用電子機器の動きを検出する前記運動センサーに応答して、前記複数のバックライトエレメントの第２のバックライトエレメントを活性化するようにと、なお、前記第２のバックライトエレメントは、前記ディスプレイ装置の第２の部分に関連する；
前記第２のバックライトエレメントの活性化に応答して前記第１のバックライトエレメントを非活性化するように；
構成される、ロジックと；
を含む、携帯用電子機器。
【請求項１１】
前記ロジックが、前記第１の向きから第３の向きへの前記携帯用電子機器の動きを検出する前記運動センサーに応答して、前記複数のバックライトエレメントの第３のバックライトエレメントを活性化するようにさらに構成され、前記第３のバックライトエレメントは前記ディスプレイ装置の第３の部分に関連する、請求項１０に記載の携帯用電子機器。
【請求項１２】
前記運動センサーが、加速度計を含み、ここにおいて、前記第２のバックライトエレメントは、第１の方向のピッチの変化を検出する前記加速度計に応答して活性化され、前記第３のバックライトエレメントは、第２の方向のピッチの変化を検出する前記加速度計に応答して活性化される、請求項１１に記載の携帯用電子機器。
【請求項１３】
前記ロジックが、震動運動を検出する前記運動センサーに応答して、前記複数のバックライトエレメントの全てを活性化するようにさらに構成される、請求項１０に記載の携帯用電子機器。
【請求項１４】
前記携帯用電子機器が前記第１の向きを有するとき、前記第１のバックライトエレメント以外の前記複数のバックライトエレメントのそれぞれが、非活性化され、前記携帯用電子機器が前記第２の向きを有するとき、前記第２のバックライトエレメント以外の前記複数のバックライトエレメントのそれぞれが非活性化される、請求項１０に記載の携帯用電子機器。
【請求項１５】
携帯用電子機器の動きを検出するための手段と；
前記携帯用電子機器が第１の向きを有するとき、ディスプレイ装置の複数のバックライトエレメントの第１のバックライトエレメントを活性化するための手段と、なお、前記複数のバックライトエレメントのそれぞれのバックライトエレメントは、前記ディスプレイ装置の特定の部分と関連し、前記第１のバックライトエレメントは前記ディスプレイ装置の第１の部分と関連する；
前記第１の向きから第２の向きへの前記携帯用電子機器の動きの検出に応答して、前記複数のバックライトエレメントの第２のバックライトエレメントを活性化するための手段と、なお、前記第２のバックライトエレメントは、前記ディスプレイ装置の第２の部分に関連する；
前記第２のバックライトエレメントが活性化されるとき、前記第１のバックライトエレメントを非活性化するための手段と；
を備える、装置。
【請求項１６】
第３の向きへの前記携帯用電子機器の動きの検出に応答して、前記複数のバックライトエレメントの第３のバックライトエレメントを活性化するための手段をさらに備え、前記第３のバックライトエレメントは前記ディスプレイ装置の第３の部分に関連する、請求項１５に記載の装置。
【請求項１７】
命令を備える非一時的なコンピュータ可読媒体であって、前記命令は、プロセッサによって実行されるとき、前記プロセッサに、
携帯用電子機器が第１の向きを有するとき、前記携帯用電子機器の複数のバックライトエレメントの第１のバックライトエレメントを活性化することと、なお、前記複数のバックライトエレメントのそれぞれのバックライトエレメントは、前記携帯用電子機器のディスプレイ装置の特定の部分と関連し、前記第１のバックライトエレメントは前記ディスプレイ装置の第１の部分と関連する；
前記第１の向きから第２の向きへ移動する前記携帯用電子機器に応答して、前記複数のバックライトエレメントの第２のバックライトエレメントを活性化することと、なお前記第２のバックライトエレメントは、前記ディスプレイ装置の第２の部分に関連する；
前記第２のバックライトエレメントが活性化されるとき、前記第１のバックライトエレメントを非活性化することと；
をさせる、非一時的なコンピュータ可読記録記体。
【請求項１８】
前記プロセッサによって実行されるとき、前記プロセッサに、第３の向きへ移動する前記携帯用電子機器に応答して前記複数のバックライトエレメントの第３のバックライトエレメントを活性化させる、命令をさらに備え、前記第３のバックライトエレメントは前記ディスプレイ装置の第３の部分に関連する、請求項１７に記載の非一時的なコンピュータ可読媒体。
【請求項１９】
特定の時刻に、携帯用電子機器のバッテリーのバッテリーチャージ値を判断することと；
前記特定の時刻に判断された前記バッテリーチャージ値を前記特定の時刻に関連するバッテリー使用プロファイルのしきいバッテリーチャージ値と比較することと、なお、前記しきいバッテリーチャージ値は時間と共に変化する；
前記バッテリーチャージ値が前記しきいバッテリーチャージ値を満たさないとき、ユーザにパワーセーブモードを選択するように促すことと；
を備える、方法。
【請求項２０】
前記ユーザにパワーセーブモードを選択するように促すことが、複数の選択可能なパワーセーブモードから前記パワーセーブモードを選択するオプションを含むディスプレイを起動することを含む、請求項１９に記載の方法。
【請求項２１】
前記複数の選択可能なパワーセーブモードの１つが、前記携帯用電子機器の向きに基づいて前記携帯用電子機器の複数のバックライトの１つ以上のバックライトエレメントを活性化するウィンドウ処理ディスプレイモードを含む、請求項２０に記載の方法。
【請求項２２】
前記複数の選択可能なパワーセーブモードのうち１つが、前記携帯用電子機器のタッチスクリーンディスプレイの照明を無効にするタッチスクリーンジェスチャーモードを含み、前記タッチスクリーンディスプレイが無効にされるとき、前記タッチスクリーンディスプレイは、受信されたタッチスクリーン入力に応答して、照明されない、請求項２０の方法。
【請求項２３】
前記タッチスクリーンディスプレイが無効にされるとき、前記タッチスクリーンディスプレイを照明することなく前記受信されたタッチスクリーン入力に応答して、アクションが実行される、請求項２２に記載の方法。
【請求項２４】
前記ユーザにパワーセーブモードを選択することを促すことが、前記バッテリーチャージ値が前記しきいバッテリーチャージ値を満たさないことを示す情報のディスプレイを起動することを含む、請求項１９に記載の方法。
【請求項２５】
電力消費を低減するための１つ以上の提案を表示することをさらに備える、請求項２４に記載の方法。
【請求項２６】
前記電力消費を低減するための１つ以上の提案が、第１の電力消費レベルを用いて第１のアプリケーションを非活性化し、低減された電力消費レベルを用いて代替アプリケーションを活性化するための提案を含む、請求項２５に記載の方法。
【請求項２７】
前記携帯用電子機器のユーザが非アクティブであること示している状態で、前記携帯用電子機器が動作されていることを判断することに応答して、前記携帯用電子機器においてデータを取得し、および前記データを格納するアプリケーションを実行することをさらに含む、請求項１９に記載の方法。
【請求項２８】
前記状態が、周辺の光状態、動きの欠如、以前の位置に存在すること、および時刻、の１つ以上を含む、請求項２７に記載の方法。
【請求項２９】
特定の時刻に、携帯用電子機器のバッテリーのバッテリーチャージ値を判断するための手段と；
前記特定の時刻に判断された前記バッテリーチャージ値を前記特定の時刻に関連するバッテリー使用プロファイルのしきいバッテリーチャージ値と比較するための手段と、なお、前記しきいバッテリーチャージ値は時間と共に変化する；
前記バッテリーチャージ値が前記しきいバッテリーチャージ値を満たさないとき、ユーザにパワーセーブモードを選択するよう促すための手段と、
を備える、装置。
【請求項３０】
前記携帯用電子機器のタッチスクリーンディスプレイの照明を無効にするための手段と、なお、前記照明されたタッチスクリーンが無効にされるとき、前記タッチスクリーンディスプレイは、受信されたタッチスクリーン入力に応答して照明されない、
前記照明されたタッチスクリーンディスプレイが無効にされるとき、前記タッチスクリーンディスプレイを照明することなく前記受信されたタッチスクリーン入力に応答して、アクションを実行するための手段と、
をさらに含む、請求項２９に記載の装置。
【請求項３１】
命令を備える非一時的なコンピュータ可読媒体であって、前記命令は、プロセッサによって実行されるとき、前記プロセッサに、
特定の時刻に、バッテリーのバッテリーチャージ値を判断することと；
前記特定の時刻に判断された前記バッテリーチャージ値を、前記特定の時刻に関連するバッテリー使用プロファイルのしきいバッテリーチャージ値と比較することと、なお、前記しきいバッテリーチャージ値は時間と共に変化する；
前記バッテリーチャージ値が前記しきいバッテリーチャージ値を満たさないとき、ユーザにパワーセーブモードを選択するよう促すことと、
をさせる、非一時的なコンピュータ可読媒体。
【請求項３２】
前記命令は、前記プロセッサによって実行されるとき、前記プロセッサに、
タッチスクリーンディスプレイの照明を無効にすることと、なお、前記タッチスクリーンディスプレイは、前記タッチスクリーンディスプレイの前記照明が無効にされるとき、受信されたタッチスクリーン入力に応答して照明されない；
前記タッチスクリーンディスプレイの前記照明が無効にされているとき、前記タッチスクリーンディスプレイを照明することなく前記受信されたタッチスクリーン入力に応答して、アクションを実行することと；
をさせることをさらに備える、請求項３１に記載の非一時的なコンピュータ可読媒体。
【請求項３３】
前記命令は、前記プロセッサによって実行されるとき、前記プロセッサに、
無線信号強度を決定することと；
前記決定された無線信号強度に少なくとも部分的に基づいて１つ以上のコンテンツアイテムを選択的にダウンロードすることと、なお、前記１つ以上のコンテンツアイテムは、前記決定された信号強度が無線信号強度しきい値を満たすときにダウンロードされ、前記決定された無線信号強度が前記無線信号強度しきい値を満たさないときダウンロードされない；
をさせることさらに備える、請求項３１に記載の非一時的なコンピュータ可読媒体。
【手続補正２】
【補正対象書類名】明細書
【補正対象項目名】００４４
【補正方法】変更
【補正の内容】
【００４４】
[0053]  図６に例示された実施形態において、ユーザインターフェース６００は、特定のアプリケーション（例えば、オンラインポーカーアプリケーション）を利用する間表示され得る。較正段階の間に取得された情報に基づいて、特定のアプリケーションに関連した電力消費が、バッテリー寿命を延長するために電力消費を低減し得る代替アプリケーションを提案するために、およびユーザに電力消費割合を知らせるために使用され得る。従って、図６は電力消費を低減するための提案は、低減された電力消費レベルを用いて代替アプリケーションを活性化するための、および第１の電力消費レベルを用いて第１のアプリケーションを非活性化するための提案を含み得る。
【手続補正３】
【補正対象書類名】明細書
【補正対象項目名】００６３
【補正方法】変更
【補正の内容】
【００６３】
[0072]  開示された実施形態の先の説明は、開示された実施形態を製造または使用することを当業者に可能にするために提供される。これらの実施形態への様々な修正は、当業者にとって容易に明らかであり、ここに定義された原理は、本開示の範囲から逸脱することなく他の実施形態に応用されうる。したがって、本開示は、ここに示された実施形態に限定されるようには意図されず、下記の特許請求の範囲によって定義されるような原理および新規な特徴と一致する
可能である最も広い範囲を与えられることとなる。
以下に本願出願当初の特許請求の範囲を付記する。
[Ｃ１]  携帯用電子機器が第１の向きを有するとき、前記携帯用電子機器の複数のバックライトエレメントの第１のバックライトエレメントを活性化することと、なお、前記複数のバックライトエレメントのそれぞれのバックライトエレメントは、前記携帯用電子機器のディスプレイ装置の特定の部分と関連し、前記第１のバックライトエレメントは前記ディスプレイ装置の第１の部分と関連する；
前記第１の向きから第２の向きへの前記携帯用電子機器の動きを検出する前記携帯用電子機器の運動センサーに応答して、前記複数のバックライトエレメントの第２のバックライトエレメントを活性化することと、なお、前記第２のバックライトエレメントは、前記ディスプレイ装置の第２の部分に関連する；
を備える方法。
[Ｃ２]  前記第２のバックライトエレメントの活性化に応答して前記第１のバックライトエレメントを非活性化することをさらに備える、Ｃ１に記載の方法。
[Ｃ３]  前記第２の向きから第３の向きへの前記携帯用電子機器の動きを検出する前記運動センサーに応答して、前記複数のバックライトエレメントの第３のバックライトエレメントを活性化することをさらに備え、前記第３のバックライトエレメントは前記ディスプレイ装置の第３の部分に関連する、Ｃ２に記載の方法。
[Ｃ４]  前記第３のバックライトエレメントの活性化に応答して、前記第２のバックライトエレメントを非活性化することをさらに備える、Ｃ３に記載の方法。
[Ｃ５]  前記動きが、前記携帯用電子機器のピッチ（pitch）の変化を含む、Ｃ１に記載の方法。
[Ｃ６]  前記動きが、前記携帯用電子機器のロール（roll）およびヨー（yaw）のうちの１つの変化を含む、Ｃ１に記載の方法。
[Ｃ７]  前記運動センサーが加速度計を含む、Ｃ１に記載の方法。
[Ｃ８]  前記運動センサーが、ジャイロスコープおよびコンパスのうち１つを含む、Ｃ１に記載の方法。
[Ｃ９]  前記携帯用電子機器が前記第１の向きを有するとき、前記第１のバックライトエレメント以外の前記携帯用電子機器の前記複数のバックライトエレメントのそれぞれが、非活性化される、Ｃ１に記載の方法。
[Ｃ１０]  前記携帯用電子機器が前記第２の向きを有するとき、前記第２のバックライトエレメント以外の前記携帯用電子機器の前記複数のバックライトエレメントのそれぞれが、非活性化される、Ｃ１に記載の方法。
[Ｃ１１]  携帯用電子機器であって、
ディスプレイ装置と；
複数のバックライトエレメントと、なお、前記複数のバックライトエレメントのそれぞれのバックライトエレメントは、前記ディスプレイ装置の特定の部分と関連する；
運動センサーと；
前記携帯用電子機器が第１の向きを有するとき、前記複数のバックライトエレメントの第１のバックライトエレメントを活性化するように、なお、前記第１のバックライトエレメントは、前記ディスプレイ装置の第１の部分と関連する；および
前記第１の向きから第２の向きへの前記携帯用電子機器の動きを検出する前記運動センサーに応答して、前記複数のバックライトエレメントの第２のバックライトエレメントを活性化するように、なお、前記第２のバックライトエレメントは、前記ディスプレイ装置の第２の部分に関連する；
構成される、ロジックと；
を含む、携帯用電子機器。
[Ｃ１２]  前記ロジックが、前記第１の向きから第３の向きへの前記携帯用電子機器の動きを検出する前記運動センサーに応答して、前記複数のバックライトエレメントの第３のバックライトエレメントを活性化するようにさらに構成され、前記第３のバックライトエレメントは前記ディスプレイ装置の第３の部分に関連する、Ｃ１１に記載の携帯用電子機器。
[Ｃ１３]  前記運動センサーが、加速度計を含み、ここにおいて、前記第２のバックライトエレメントは、第１の方向のピッチの変化を検出する前記加速度計に応答して活性化され、前記第３のバックライトエレメントは、第２の方向のピッチの変化を検出する前記加速度計に応答して活性化される、Ｃ１２に記載の携帯用電子機器。
[Ｃ１４]  前記ロジックが、震動運動を検出する前記運動センサーに応答して、前記複数のバックライトエレメントの全てを活性化するようにさらに構成される、Ｃ１１に記載の携帯用電子機器。
[Ｃ１５]  前記携帯用電子機器が前記第１の向きを有するとき、前記第１のバックライトエレメント以外の前記複数のバックライトエレメントのそれぞれが、非活性化され、前記携帯用電子機器が前記第２の向きを有するとき、前記第２のバックライトエレメント以外の前記複数のバックライトエレメントのそれぞれが非活性化される、Ｃ１１に記載の携帯用電子機器。
[Ｃ１６]      携帯用電子機器の動きを検出するための手段と；
前記携帯用電子機器が第１の向きを有するとき、ディスプレイ装置の複数のバックライトエレメントの第１のバックライトエレメントを活性化するための手段と、なお、前記複数のバックライトエレメントのそれぞれのバックライトエレメントは、前記ディスプレイ装置の特定の部分と関連し、前記第１のバックライトエレメントは前記ディスプレイ装置の第１の部分と関連する；
前記第１の向きから第２の向きへの前記携帯用電子機器の動きの検出に応答して、前記複数のバックライトエレメントの第２のバックライトエレメントを活性化するための手段と、なお、前記第２のバックライトエレメントは、前記ディスプレイ装置の第２の部分に関連する；
を備える、装置。
[Ｃ１７]  第３の向きへの前記携帯用電子機器の動きの検出に応答して、前記複数のバックライトエレメントの第３のバックライトエレメントを活性化するための手段をさらに備え、前記第３のバックライトエレメントは前記ディスプレイ装置の第３の部分に関連する、Ｃ１６に記載の装置。
[Ｃ１８]
前記第２のバックライトエレメントが活性化されるとき、前記第１のバックライトエレメントを非活性化するための手段をさらに備える、Ｃ１６に記載の装置。
[Ｃ１９]  命令を備える非一時的なコンピュータ可読媒体であって、前記命令は、プロセッサによって実行されるとき、前記プロセッサに、
携帯用電子機器が第１の向きを有するとき、前記携帯用電子機器の複数のバックライトエレメントの第１のバックライトエレメントを活性化することと、なお、前記複数のバックライトエレメントのそれぞれのバックライトエレメントは、前記携帯用電子機器のディスプレイ装置の特定の部分と関連し、前記第１のバックライトエレメントは前記ディスプレイ装置の第１の部分と関連する；
前記第１の向きから第２の向きへ移動する前記携帯用電子機器に応答して、前記複数のバックライトエレメントの第２のバックライトエレメントを活性化することと、なお前記第２のバックライトエレメントは、前記ディスプレイ装置の第２の部分に関連する；
をさせる、コンピュータ可読記録記体。
[Ｃ２０]  前記プロセッサによって実行されるとき、前記プロセッサに、第３の向きへ移動する前記携帯用電子機器に応答して前記複数のバックライトエレメントの第３のバックライトエレメントを活性化させる、命令をさらに備え、前記第３のバックライトエレメントは前記ディスプレイ装置の第３の部分に関連する、Ｃ１９に記載の非一時的なコンピュータ可読媒体。
[Ｃ２１]  前記プロセッサによって実行されるとき、前記プロセッサに、前記第２のバックライトエレメントが活性化するとき、前記第１のバックライトエレメントを非活性化させる命令をさらに備える、Ｃ１９に記載の非一時的なコンピュータ可読媒体。
[Ｃ２２]      特定の時刻に、携帯用電子機器のバッテリーのバッテリーチャージ値を判断することと；
前記特定の時刻に判断された前記バッテリーチャージ値を前記特定の時刻に関連するバッテリー使用プロファイルのしきいバッテリーチャージ値と比較することと、なお、前記しきいバッテリーチャージ値は時間と共に変化する；
前記バッテリーチャージ値が前記しきいバッテリーチャージ値を満たさないとき、ユーザにパワーセーブモードを選択するように促すことと；
を備える、方法。
[Ｃ２３]  前記ユーザにパワーセービングモードを選択するように促すことが、複数の選択可能なパワーセーブモードから前記パワーセーブモードを選択するオプションを含むディスプレイを起動することを含む、Ｃ２２に記載の方法。
[Ｃ２４]  前記複数の選択可能なパワーセーブモードの１つが、前記携帯用電子機器の向きに基づいて前記携帯用電子機器の複数のバックライトの１つ以上のバックライトエレメントを活性化するウィンドウ処理ディスプレイモードを含む、Ｃ２３に記載の方法。
[Ｃ２５]  前記複数の選択可能なパワーセーブモードのうち１つが、前記携帯用電子機器のタッチスクリーンディスプレイの照明を無効にするタッチスクリーンジェスチャーモードを含み、前記タッチスクリーンディスプレイが無効にされるとき、前記タッチスクリーンディスプレイは、受信されたタッチスクリーン入力に応答して、照明されない、Ｃ２３の方法。
[Ｃ２６]  前記タッチスクリーンディスプレイが無効にされるとき、前記タッチスクリーンディスプレイを照明することなく前記受信されたタッチスクリーン入力に応答して、アクションが実行される、Ｃ２５に記載の方法。
[Ｃ２７]  前記ユーザにパワーセーブモードを選択することを促すことが、前記バッテリーチャージ値が前記しきいバッテリーチャージ値を満たさないことを示す情報のディスプレイを起動することを含む、Ｃ２２に記載の方法。
[Ｃ２８]  電力消費を低減するための１つ以上の提案を表示することをさらに備える、Ｃ２７に記載の方法。
[Ｃ２９]  前記電力消費を削減するための１つ以上の提案が、第１の電力消費レベルを用いて第１のアプリケーションを非活性化し、削減された電力消費レベルを用いて代替アプリケーションを活性化するための提案を含む、Ｃ２８に記載の方法。
[Ｃ３０]  前記携帯用電子機器のユーザが非アクティブであること示している状態で、前記携帯用電子機器が動作されていることを判断することに応答して、前記携帯用電子機器においてデータを取得し、および前記データを格納するアプリケーションを実行することをさらに含む、Ｃ２２に記載の方法。
[Ｃ３１]  前記状態が、周辺の光状態、動きの欠如、以前の位置に存在すること、および時刻、の１つ以上を含む、Ｃ３０に記載の方法。
[Ｃ３２]  特定の時刻に、携帯用電子機器のバッテリーのバッテリーチャージ値を判断するための手段と；
前記特定の時刻に判断された前記バッテリーチャージ値を前記特定の時刻に関連するバッテリー使用プロファイルのしきいバッテリーチャージ値と比較するための手段と、なお、前記しきいバッテリーチャージ値は時間と共に変化する；
前記バッテリーチャージ値が前記しきいバッテリーチャージ値を満たさないとき、ユーザにパワーセーブモードを選択するよう促すための手段と、
を備える、装置。
[Ｃ３３]  前記携帯用電子機器のタッチスクリーンディスプレイの照明を無効にするための手段と、なお、前記照明されたタッチスクリーンが無効にされるとき、前記タッチスクリーンディスプレイは、受信されたタッチスクリーン入力に応答して照明されない、
前記照明されたタッチスクリーンディスプレイが無効にされるとき、前記タッチスクリーンディスプレイを照明することなく前記受信されたタッチスクリーン入力に応答して、アクションを実行するための手段と、
をさらに含む、Ｃ３２に記載の装置。
[Ｃ３４]  命令を備える非一時的なコンピュータ可読媒体であって、前記命令は、プロセッサによって実行されるとき、前記プロセッサに、
特定の時刻に、バッテリーのバッテリーチャージ値を判断することと；
前記特定の時刻に判断された前記バッテリーチャージ値を、前記特定の時刻に関連するバッテリー使用プロファイルのしきいバッテリーチャージ値と比較することと、なお、前記しきいバッテリーチャージ値は時間と共に変化する；
前記バッテリーチャージ値が前記しきいバッテリーチャージ値を満たさないとき、ユーザにパワーセーブモードを選択するよう促すことと、
をさせる、非一時的なコンピュータ可読媒体。
[Ｃ３５]  前記命令は、前記プロセッサによって実行されるとき、前記プロセッサに、
タッチスクリーンディスプレイの照明を無効にすることと、なお、前記タッチスクリーンディスプレイは、前記タッチスクリーンディスプレイの前記照明が無効にされるとき、受信されたタッチスクリーン入力に応答して照明されない；
前記タッチスクリーンディスプレイの前記照明が無効にされているとき、前記タッチスクリーンディスプレイを照明することなく前記受信されたタッチスクリーン入力に応答して、アクションを実行することと；
をさせることをさらに備える、Ｃ３４に記載の非一時的なコンピュータ可読媒体。
[Ｃ３６]  前記命令は、前記プロセッサによって実行されるとき、前記プロセッサに、
無線信号強度を決定することと；
前記決定された無線信号強度に少なくとも部分的に基づいて１つ以上のコンテンツアイテムを選択的にダウンロードすることと、なお、前記１つ以上のコンテンツアイテムは、前記決定された信号強度が無線信号強度しきい値を満たすときにダウンロードされ、前記決定された無線信号強度が前記無線信号強度しきい値を満たさないときダウンロードされない；
をさせることさらに備える、Ｃ３４に記載の非一時的なコンピュータ可読媒体。
【国際調査報告】
2014508434.tif 000013
2014508434.tif 000014
2014508434.tif 000015
2014508434.tif 000016
2014508434.tif 000017